(57)【特許請求の範囲】
【請求項１】
本体の上面に被加熱物を載置する絶縁板を設け、該絶縁板の下方に複数の加熱コイルと、出力制御基板と、これらを冷却する冷却ファンとを設け、本体後部に上方へ向けて開口された吸気口と排気口とを設けた誘導加熱調理器において、
前記本体内には、内部に前記出力制御基板と前記冷却ファンとを収納し側面及び上部が塞がれた樹脂製の基板ケースが設置され、
該基板ケースは、前記吸気口と対応した前記上部位置に設けられたケース吸気口と、前記基板ケースの前記上部位置に設けられた複数の冷却口を有し、
前記基板ケース内に前記ケース吸気口から前記複数の冷却口に至る風路を形成し、該風路の上流に前記冷却ファンを、下流に前記出力制御基板を配置し、
前記出力制御基板は上下方向に積み重ねて配置し、
前記ケース吸気口から流入した風は積み重ねて配置した前記出力制御基板を冷却した後、前記複数の冷却口に至るようにし、
前記複数の加熱コイルのうち少なくとも一つは前記基板ケースの上方に配置され、少なくとも一つは前記基板ケースの上方に配置された加熱手段の側方に配置され、
前記複数の冷却口のうち少なくとも一つは前記基板ケースの上方の加熱コイルを冷却するように開口し、少なくとも一つは前記基板ケースの上方に配置された加熱手段の側方に配置された加熱コイルを冷却するように開口した誘導加熱調理器。
【発明の詳細な説明】
【技術分野】
【０００１】
本発明は、誘導加熱調理器に関するものである。
【背景技術】
【０００２】
従来の誘導加熱調理器は、加熱コイルによって発生する磁束により、絶縁板の上に置いた鉄製の鍋等の被加熱物に渦電流を発生させ、被加熱物を加熱するものである。この調理器は、ガスなどの燃焼系の調理器に比べて被加熱物以外への放熱が少なく、熱効率も良好である。
【０００３】
構成面では、本体の上面に被加熱物を載置する絶縁板と、この絶縁板の下方に加熱コイルや出力制御基板等と、これらを冷却する冷却ファンを設けており、排気の方向は本体後部より上方向へ向かう構成のものが一般的である。
【０００４】
このような従来例として、特許文献１（特開２００１−１９６１５３号公報）や特許文献２（特開２００１−１７６６５１号公報）に示すものがある。
【０００５】
この特許文献１に示す例を、図４および図５を用いて説明する。図４は従来例の誘導加熱調理器の破断平面図、図５は同じく側面断面図である。
【０００６】
図において、本体１の上面に被加熱物（図示せず）を載置する絶縁板２と、この絶縁板２の下方に複数の加熱コイル９，１０及び二つの出力制御基板１１と、これらを冷却する冷却ファン１２と、本体１後部右側に上方に向けて開口された吸気口５と、本体１後部左側に上方に向けて開口された排気口６と、本体１内部に吸気口５から冷却ファン１２に至る吸気ダクト１８とを設けている。
【０００７】
そして、上側の出力制御基板１１を覆うように基板カバー１４を設けて、基板保持台
１７と基板カバー１４とで通風路を形成し、通風路の出口側には冷却風の偏向板となる操作部後面壁１９を備え、左の加熱コイル９の後端より前の位置に主な通気口となる第一の開口１５を、右側に従となる第二の開口１６を設けている。
【０００８】
以上の構成において、動作を説明する。
【０００９】
冷却ファン１２によって吸気口５から吸い込まれた外気は、吸気ダクト１８を通って冷却ファン１２に至り、さらに、基板カバー１４および基板保持台１７によって形成された通風路の中を出力制御基板１１を冷却しながら通り、操作部後面壁１９によって流路を変え、その大部分が基板カバー１４の第一の開口１５と第二の開口１６を通り、第一の開口
１５から出た冷却風は左の加熱コイル９を、第二の開口１６から出た冷却風は右の加熱コイル１０を冷却するように流れ、その後排気口６から本体１の外部に排出される。
【００１０】
ところで、このような誘導加熱調理器は、上記のように主な通風路を吸気ダクト１８，基板カバー１４，基板保持台１７，操作部後面壁１９などの複数の部品で構成している。このため、冷却風のロスがあり、加熱コイル９，１０や出力制御基板１１の冷却効率が充分とは言えない。また、組み立てに手間が掛かるという課題がある。
【００１１】
【特許文献１】特開２００１−１９６１５３号公報
【特許文献２】特開２００１−１７６６５１号公報
【発明の開示】
【発明が解決しようとする課題】
【００１２】
前述したように、従来の誘導加熱調理器においては、加熱コイル９，１０や出力制御基板１１の冷却効率が不充分であり、かつ、組み立て性に問題がある。
【００１３】
本発明は、前記課題を解決するものであり、冷却風のロスを抑えて、加熱コイルや出力制御基板の冷却効率を向上し、かつ、組み立て性も向上してコストを低減することを目的とするものである。
【課題を解決するための手段】
【００１４】
上記目的を達成するために本発明の特徴とするところは、本体の上面に被加熱物を載置する絶縁板を設け、該絶縁板の下方に複数の加熱コイルと、出力制御基板と、これらを冷却する冷却ファンとを設け、本体後部に上方へ向けて開口された吸気口と排気口とを設けた誘導加熱調理器において、前記本体内には、内部に前記出力制御基板と前記冷却ファンとを収納し側面及び上部が塞がれた樹脂製の基板ケースが設置され、該基板ケースは、前記吸気口と対応した前記上部位置に設けられたケース吸気口と、前記基板ケースの前記上部位置に設けられた複数の冷却口を有し、前記基板ケース内に前記ケース吸気口から前記複数の冷却口に至る風路を形成し、該風路の上流に前記冷却ファンを、下流に前記出力制御基板を配置し、前記出力制御基板は上下方向に積み重ねて配置し、前記ケース吸気口から流入した風は積み重ねて配置した前記出力制御基板を冷却した後、前記複数の冷却口に至るようにし、前記複数の加熱コイルのうち少なくとも一つは前記基板ケースの上方に配置され、少なくとも一つは前記基板ケースの上方に配置された加熱手段の側方に配置され、前記複数の冷却口のうち少なくとも一つは前記基板ケースの上方の加熱コイルを冷却するように開口し、少なくとも一つは前記基板ケースの上方に配置された加熱手段の側方に配置された加熱コイルを冷却するように開口したことにある。
【発明の効果】
【００１５】
上記のように、本発明の誘導加熱調理器によれば、基板ケースは、外気の吸い込み部から排出部に至る風路が一体構造で構成され、この基板ケースの風路内に出力制御基板及び冷却ファンを配置したものであり、これによって冷却風のロスを抑えて、加熱コイルや出力制御基板の冷却効率を向上し、かつ、組み立て性も向上してコストを低減することができるものである。
【発明を実施するための最良の形態】
【００１６】
以下、本発明の一実施例を図面に従って説明する。
【００１７】
図１は本発明の外観斜視図、図２は本発明の内部平面図、図３は本発明の側面断面図である。
【００１８】
図において、１は誘導加熱調理器の本体である。２は鉄製の鍋等の被加熱物（図示せず）を載置する絶縁板で、本体１の上面に水平に設けられている。
【００１９】
３，４は誘導加熱部で、左右に二つ有り、載置された被加熱物（図示せず）を誘導加熱する部位である。
【００２０】
５は吸気口で、本体１後部に上方へ向けて開口された開口部である。６は排気口で、本体１後部に上方へ向けて開口された開口部である。本実施例では、吸気口５は本体１後部の右側に、排気口６は左側に配している。
【００２１】
７は本体１の前面左部に設けられたグリル加熱部で、中で魚等を焼くものである。８は本体１の前面右部に設けられた操作部で、各加熱部の設定，操作を行うものである。
【００２２】
９，１０は複数の加熱コイルで、絶縁板２の下方に左右の誘導加熱部３，４に対応して設けられ、誘導加熱時に高周波電流が流れて被加熱物（図示せず）を加熱する磁束を発生する。
【００２３】
１１は出力制御基板で、絶縁板２の下方に設けられ、複数の加熱コイル９，１０の出力を主に制御する制御回路を含んだ回路基板である。１２は冷却ファンで、複数の加熱コイル９，１０及び出力制御基板１１を冷却するものである。
【００２４】
１３は出力制御基板１１を固定する基板ケースで、右の加熱コイル１０の下方に設けられ、一体構造の風路を構成し、この内部に出力制御基板１１と冷却ファン１２を配置し、本体１後部の吸気口５と対応する位置に基板ケース吸気口１３ａを備え、前記複数の加熱コイル９，１０と対応する位置に複数の冷却口１３ｂ，１３ｃを備えている。
【００２５】
基板ケース吸気口１３ａは上方に開口した開口部で、本体１後部の吸気口５の内側に略嵌合するように構成され、前記冷却ファン１２によって基板ケース１３内部に吸い込まれる外気の吸気部分である。
【００２６】
第一の冷却口１３ｂは、冷却ファン１２からの送風が基板ケース１３より吹出される開口部の一つで、対応する加熱コイル９の側部に対向するように、基板ケース１３の上部略中央で切り起こし左方に向けて開口され、ここから吹出された冷却風は左の加熱コイル９に吹付けられる。
【００２７】
第二の冷却口１３ｃは、冷却ファン１２からの送風が基板ケース１３より吹出される開口部の他の一つで、対応する加熱コイル１０の側部に対向するように、基板ケース１３の上部前側で切り起こし後方に向けて開口され、ここから吹出された冷却風は右の加熱コイル１０に吹付けられる。
【００２８】
以上の構成において、その動作を説明する。
【００２９】
使用者が被加熱物（図示せず）を絶縁板２の誘導加熱部３または４上に載置し、操作部８を操作し、誘導加熱を設定して調理開始すると、出力制御基板１１は誘導加熱部３または４下方の加熱コイル９または１０に制御信号を出力する。この制御信号により、加熱コイル９または１０は内部に高周波電流が流れて磁束を発生し、この磁束により被加熱物
（図示せず）に渦電流が流れ、被加熱物（図示せず）自身が発熱して加熱される。
【００３０】
調理が開始されると、同時に、出力制御基板１１は冷却ファン１２にも制御信号を出力し、この制御信号により、冷却ファン１２は駆動され、基板ケース吸気口１３ａから外気を吸い込み、手前へ送風を行う。
【００３１】
冷却ファン１２による送風は、基板ケース１３内部で冷却風の下流に配置された出力制御基板１１に吹付けられて、これを冷却する。冷却風の一部は出力制御基板１１の一部を冷却し、基板ケース１３の上部略中央で左方に向けて開口された第一の冷却口１３ｂを通り、その方向が略水平左方に変わり、左の加熱コイル９の側部に吹付けて冷却し、その後排気口６から本体１の外部に排出される。
【００３２】
冷却風の他の一部は出力制御基板１１を通過し、基板ケース１３の手前壁面に沿って上方に向い、基板ケース１３の上部前側で後方に向けて開口された冷却口１３ｃを通り、その方向が略水平後方に変わり、右の加熱コイル１０の側部に吹付けて冷却し、その後排気口６から本体１の外部に排出される。
【００３３】
調理中は上記のように冷却動作が行われ、調理が終了すると、出力制御基板１１は制御信号の出力を停止し、加熱コイル９または１０、および冷却ファン１２の運転を停止させる。
【００３４】
上記のように、外気の吸い込み部である基板ケース吸気口１３ａから排出部である冷却口１３ｂ，１３ｃに至る風路が、一体構造の基板ケース１３で構成され、かつ、この基板ケース１３内に出力制御基板１１および冷却ファン１２が配置されているため、出力制御基板１１の冷却は、冷却風のロスがなく、冷却効率の高いものである。
【００３５】
また、第一，第二の冷却口１３ｂ、１３ｃを対応した加熱コイル９，１０の側部に対向して設けることにより、これらから吹出す冷却風の分散が抑えられ集中的に各加熱コイル９，１０に吹付けられるので、左右の加熱コイル９，１０の冷却は非常に冷却効率の高いものである。
【００３６】
尚、上記実施例は、加熱コイル９，１０を二つとして説明したが、三つ以上の場合は、同様に基板ケース１３に設ける複数の冷却口１３ｂ，１３ｃの数、位置および吹出す方向を各々加熱コイル９，１０の数および位置に対応して適宜設ければよい。
【００３７】
以上述べたように、本発明の誘導加熱調理器によれば、本体１の上面に被加熱物を載置する絶縁板２を設け、この絶縁板２の下方に複数の加熱コイル９，１０と、出力制御基板１１と、これらを冷却する冷却ファン１２と、前記出力制御基板１２を固定する基板ケース１３とを設けた誘導加熱調理器において、前記基板ケース１３は、外気の吸い込み部から排出部に至る風路が一体構造で構成され、この基板ケース１３の風路内に出力制御基板１２及び冷却ファン１３を配置したものであり、これによって冷却風のロスを抑えて、加熱コイル９，１０や出力制御基板１１の冷却効率を向上し、かつ、組み立て性も向上してコストを低減することができるものである。
【図面の簡単な説明】
【００３８】
【図１】本発明の外観斜視図である。
【図２】本発明の内部平面図である。
【図３】本発明の側面断面図である。
【図４】従来例の誘導加熱調理器の破断平面図である。
【図５】従来例の誘導加熱調理器の側面断面図である。
【符号の説明】
【００３９】
１…本体、２…絶縁板、３，４…誘導加熱部、５…吸気口、６…排気口、７…グリル加熱部、８…操作部、９，１０…加熱コイル、１１…出力制御基板、１２…冷却ファン、
１３…基板ケース、１３ａ…基板ケース吸気口、１３ｂ，１３ｃ…冷却口。
【図１】
0004020933.tif 000002
【図２】
0004020933.tif 000003
【図３】
0004020933.tif 000004
【図４】
0004020933.tif 000005
【図５】
0004020933.tif 000006